(57)【要約】【課題】  感知信号を十分な時間的余裕を持って読み込むことができ、共通電圧による歪曲を最小化できる感知部を内蔵する表示装置及びその駆動方法を提供する。【解決手段】複数の画像走査線及び複数の感知走査線を有する表示板と、前記画像走査線に連結される複数の表示部と、前記感知走査線に連結され、外部からの接触によって素子出力信号を出力する複数の感知部と、前記画像走査線に画像走査信号を印加する画像走査部と、前記感知走査線に感知走査信号を印加する感知走査部と、前記画像走査部及び前記感知走査部が互いに異なる時間に動作するように制御する信号制御部とを有する。【選択図】      図５
2006293374.tif 000002
【特許請求の範囲】
【請求項１】
複数の画像走査線及び複数の感知走査線を有する表示板と、
前記画像走査線に連結される複数の表示部と、
前記感知走査線に連結され、外部からの接触によって素子出力信号を出力する複数の感知部と、
前記画像走査線に画像走査信号を印加する画像走査部と、
前記感知走査線に感知走査信号を印加する感知走査部と、
前記画像走査部及び前記感知走査部が互いに異なる時間に動作するように制御する信号制御部とを有することを特徴とする表示装置。
【請求項２】
前記画像走査部は、表示区間で前記画像走査信号を印加し、前記感知走査部は感知区間で前記感知走査信号を印加することを特徴とする請求項１に記載の表示装置。
【請求項３】
前記表示部は、ハイレベルとローレベルの間をスイングする共通電圧の印加を受けることを特徴とする請求項１に記載の表示装置。
【請求項４】
前記共通電圧は、前記表示区間で第１周期を有し、前記感知区間で第２周期を有することを特徴とする請求項３に記載の表示装置。
【請求項５】
前記共通電圧の前記第１周期と前記第２周期は互いに異なることを特徴とする請求項４に記載の表示装置。
【請求項６】
前記共通電圧の前記第１周期は前記第２周期より短いことを特徴とする請求項４に記載の表示装置。
【請求項７】
前記共通電圧は、前記表示区間の間に第１デューティ比を有し、前記感知区間の間に前記第１デューティ比とは異なる第２デューティ比を有することを特徴とする請求項４に記載の表示装置。
【請求項８】
前記共通電圧の第１デューティ比は実質的に５０％であることを特徴とする請求項７に記載の表示装置。
【請求項９】
前記感知走査信号は、前記共通電圧が一定に維持される間に印加されることを特徴とする請求項３に記載の表示装置。
【請求項１０】
前記共通電圧が一定に維持される間に前記素子出力信号を読み込む感知信号処理部をさらに有することを特徴とする請求項３に記載の表示装置。
【請求項１１】
前記共通電圧の前記ハイ及びローレベルのうち、持続時間が長いほうのレベルで前記素子出力信号を読み込む感知信号処理部をさらに有することを特徴とする請求項３に記載の表示装置。
【請求項１２】
前記表示部は共通電圧の印加を受け、該共通電圧は前記表示区間でハイレベルとローレベルの間をスイングし、前記感知区間で直流電圧であることを特徴とする請求項２に記載の表示装置。
【請求項１３】
複数の画像走査線及び複数の感知走査線を有する表示板と、
前記画像走査線に連結される複数の表示部と、
前記感知走査線に連結され、外部からの接触によって素子出力信号を出力する複数の感知部と、
前記画像走査線に画像走査信号を印加する画像走査部と、
前記感知走査線に感知走査信号を印加する感知走査部と、
１フレーム内で互いに異なる第１及び第２周期を有する共通電圧を生成して前記表示板に印加する共通電圧生成部と、
前記画像走査部、感知走査部、及び共通電圧生成部を制御する信号制御部とを有することを特徴とする表示装置。
【請求項１４】
前記画像走査部は、前記共通電圧が前記第１周期を有するとき前記画像走査信号を印加し、前記感知走査部は前記共通電圧が前記第２周期を有するとき前記感知走査信号を印加することを特徴とする請求項１３に記載の表示装置。
【請求項１５】
前記共通電圧の前記第１周期は前記第２周期より短いことを特徴とする請求項１４に記載の表示装置。
【請求項１６】
前記第２周期を有する共通電圧は、長さが互いに異なるハイレベルとローレベルを有することを特徴とする請求項１４に記載の表示装置。
【請求項１７】
前記共通電圧の前記ハイレベル及びローレベルのうち、長さが長いほうのレベルで前記素子出力信号を読み込むことを特徴とする請求項１６に記載の表示装置。
【請求項１８】
複数の画像走査線、複数の感知走査線、前記画像走査線に連結される複数の表示部と、前記感知走査線に連結され、外部からの接触によって素子出力信号を出力する複数の感知部とを有する表示装置の駆動方法であって、
１フレームを表示区間と感知区間とに分ける段階と、
前記表示区間で画像走査信号を印加する段階と、
前記感知区間で感知走査信号を印加する段階とを有することを特徴とする表示装置の駆動方法。
【請求項１９】
前記表示区間で第１周期を有し、前記感知区間で前記第１周期とは異なる第２周期を有する共通電圧を印加する段階をさらに有することを特徴とする請求項１８に記載の表示装置の駆動方法。
【請求項２０】
前記第２周期を有する共通電圧は、長さが互いに異なるハイレベルとローレベルを有することを特徴とする請求項１９に記載の表示装置の駆動方法。
【請求項２１】
前記共通電圧の前記ハイレベル及びローレベルのうち、長さが長いほうのレベルで前記素子出力信号を読み込む段階をさらに有することを特徴とする請求項２０に記載の表示装置の駆動方法。
【発明の詳細な説明】
【技術分野】
【０００１】
本発明は表示装置及びその駆動方法に関し、特に感知信号を十分な時間的余裕を持って読み込むことができ、共通電圧による歪曲を最小化できる感知部を内蔵する表示装置及びその駆動方法に関する。
【背景技術】
【０００２】
一般的な液晶表示装置（ｌｉｑｕｉｄ  ｃｒｙｓｔａｌ  ｄｉｓｐｌａｙ、ＬＣＤ）は、画素電極及び共通電極が具備された二つの表示板と、その間に入っている誘電率異方性（ｄｉｅｌｅｃｔｒｉｃ  ａｎｉｓｏｔｒｏｐｙ）を有する液晶層を含む。画素電極は行列状に配列されていて、薄膜トランジスタ（ＴＦＴ）などスイッチング素子に連結され、一つの行ずつ順次にデータ電圧の印加を受ける。共通電極は、表示板の全面にかけて形成されていて、共通電圧の印加を受ける。画素電極と共通電極及びその間の液晶層は、回路的に見れば液晶キャパシタを構成し、液晶キャパシタはこれに連結されたスイッチング素子と共に画素をなす基本単位となる。
このような液晶表示装置では二つの電極に電圧を印加して液晶層に電界を生成し、この電界の強さを調節して液晶層を通過する光の透過率を調節することによって所望の画像を得る。
【０００３】
近年、このような液晶表示装置にセンサーを内蔵した製品が開発されてきた。これらセンサーは使用者の手またはタッチペン（ｔｏｕｃｈ  ｐｅｎ、ｓｔｙｌｕｓ）などの接触によって生じた圧力または光の変化を感知し、これに伴う電気信号を液晶表示装置に提供する。液晶表示装置はこの電気信号に基づいて接触があったか否か及び接触位置を感知する。液晶表示装置はこのような接触に対する情報を外部装置に伝送し、外部装置は接触情報に基づいた画像信号を液晶表示装置に伝送する。このようなセンサーは、タッチスクリーンなどの外部装置に備えられて液晶表示装置に付着できるが、液晶表示装置の厚さ及び重量が重くなり、精密な字や絵の表示に困難性があり得る。
液晶表示装置に具備されたセンサーは、画像を表示する画素に位置した薄膜トランジスタで実現できる。
【０００４】
中小型液晶表示装置は、電力消費を減らすために低電圧方式でデータ電圧を駆動するが、極性反転のために１水平周期ごとに共通電圧のレベルを変える。ところが、感知信号を送出する配線は共通電極と容量性結合されているので、共通電圧が変わることによって感知信号が影響を受けて歪曲されうることがある。従って、共通電圧が変わらない１水平周期内で感知信号を読み込む必要がある。しかし、解像度が高くなれば１水平周期に該当する時間が短くなり、そのため感知信号を読み込む時間も短くなる。そうすると、感知信号の大きさが小さくなり、信号対雑音比（ｓｉｇｎａｌ  ｔｏ  ｎｏｉｓｅ  ｒａｔｉｏ、ＳＮＲ）も小さくなる。従って、感知信号は雑音に敏感になって接触情報の判断が難しくなるという問題があった。
【発明の開示】
【発明が解決しようとする課題】
【０００５】
そこで、本発明は上記従来の液晶表示装置における問題点に鑑みてなされたものであって、本発明の目的は、感知信号を十分な時間的余裕を持って読み込むことができ、共通電圧による歪曲を最小化できる感知部を内蔵する表示装置及びその駆動方法を提供することにある。
【課題を解決するための手段】
【０００６】
上記目的を達成するためになされた本発明による表示装置は、複数の画像走査線及び複数の感知走査線を有する表示板と、前記画像走査線に連結される複数の表示部と、前記感知走査線に連結され、外部からの接触によって素子出力信号を出力する複数の感知部と、前記画像走査線に画像走査信号を印加する画像走査部と、前記感知走査線に感知走査信号を印加する感知走査部と、前記画像走査部及び前記感知走査部が互いに異なる時間に動作するように制御する信号制御部とを有することを特徴とする。
【０００７】
前記画像走査部は表示区間で前記画像走査信号を印加し、前記感知走査部は感知区間で前記感知走査信号を印加することが好ましい。
前記表示部は、ハイレベルとローレベルの間をスイングする共通電圧の印加を受けることが好ましい。
前記共通電圧は、前記表示区間で第１周期を有し、前記感知区間で第２周期を有することが好ましい。
前記共通電圧の前記第１周期と前記第２周期とは互いに異なることが好ましい。
前記共通電圧の前記第１周期は前記第２周期より短いことが好ましい。
前記共通電圧は、前記表示区間の間に第１デューティ比を有し、前記感知区間の間に前記第１デューティ比とは異なる前記第２周期を有することが好ましい。
前記共通電圧の第１デューティ比は実質的に５０％であることが好ましい。
前記感知走査信号は、前記共通電圧が一定に維持される間に出力されることが好ましい。
前記共通電圧が一定に維持される間に前記素子出力信号を読み込む感知信号処理部をさらに有することが好ましい。
前記共通電圧の前記ハイ及びローレベルのうち、持続時間が長いほうのレベルで前記素子出力信号を読み込む感知信号処理部をさらに有することが好ましい。
前記表示部は共通電圧の印加を受け、該共通電圧は前記表示区間でハイレベルとローレベルの間をスイングし、前記感知区間で直流電圧であることが好ましい。
【０００８】
また、上記目的を達成するためになされた本発明による表示装置は、複数の画像走査線及び複数の感知走査線を有する表示板と、前記画像走査線に連結される複数の表示部と、前記感知走査線に連結され、外部からの接触によって素子出力信号を出力する複数の感知部と、前記画像走査線に画像走査信号を印加する画像走査部と、前記感知走査線に感知走査信号を印加する感知走査部と、１フレーム内で互いに異なる第１及び第２周期を有する共通電圧を生成して前記表示板に印加する共通電圧生成部と、前記画像走査部、感知走査部、及び共通電圧生成部を制御する信号制御部とを有することを特徴とする。
【０００９】
前記画像走査部は前記共通電圧が前記第１周期を有するとき前記画像走査信号を印加し、前記感知走査部は前記共通電圧が前記第２周期を有するとき前記感知走査信号を印加することが好ましい。
前記共通電圧の前記第１周期は前記第２周期より短いことが好ましい。
前記第２周期を有する共通電圧は、長さが互いに異なるハイレベルとローレベルを有することが好ましい。
前記共通電圧の前記ハイレベル及びローレベルのうち、長さが長いほうのレベルで前記素子出力信号を読み込むことが好ましい。
【００１０】
上記目的を達成するためになされた本発明による表示装置の駆動方法は、複数の画像走査線、複数の感知走査線、前記画像走査線に連結される複数の表示部と、前記感知走査線に連結され、外部からの接触によって素子出力信号を出力する複数の感知部とを有する表示装置の駆動方法であって、１フレームを表示区間と感知区間に分ける段階と、前記表示区間で画像走査信号を印加する段階と、前記感知区間で感知走査信号を印加する段階とを有することを特徴とする。
【００１１】
前記表示区間で第１周期を有し、前記感知区間で前記第１周期とは異なる第２周期を有する共通電圧を印加する段階をさらに有することが好ましい。
前記第２周期を有する共通電圧は、長さが互いに異なるハイレベルとローレベルを有することが好ましい。
前記共通電圧の前記ハイレベル及びローレベルのうち、長さが長いほうのレベルで前記素子出力信号を読み込む段階をさらに有することが好ましい。
【発明の効果】
【００１２】
本発明に係る表示装置及びその駆動方法によれば、１フレームを表示区間と感知区間に分けて二つの区間で共通電圧の周期を互いに異にし、感知区間で共通電圧のデューティ比を５０％とは異ならせることによって、感知信号を読み込む時間を長くすることができ、そのため感知信号の歪曲を防止することができ、安定的に感知信号を抽出することができるという効果がある。
【発明を実施するための最良の形態】
【００１３】
次に、本発明に係る表示装置及びその駆動方法を実施するための最良の形態の具体例を図面を参照しながら説明する。
図面において、いろいろな層及び領域を明確に表現するために厚さを拡大して示した。明細書全体にわたって類似の部分については同一の図面符号を付した。層、膜、領域、板などの部分が他の部分の“上に”あるとする時、これは他の部分の“すぐ上に”ある場合だけでなく、その中間に他の部分がある場合も含む。逆に、ある部分が他の部分の“すぐ上に”あるとする時は、中間に他の部分がないことを意味する。
【００１４】
以下、接触感知機能を有する表示装置の一例として、本発明の一実施形態による液晶表示装置について、図１乃至図４を参照して詳細に説明する。
図１は本発明の一実施形態による液晶表示装置のブロック図であり、図２は本発明の一実施形態による液晶表示装置における光感知部を含む画素の等価回路図であり、図３は本発明の一実施形態による液晶表示装置における圧力感知部を含む画素の等価回路図である。図４は本発明の一実施形態による液晶表示装置の概略図である。
【００１５】
図１を参照すると、本発明の一実施形態による液晶表示装置は、液晶表示板組立体３００、これに連結された画像走査部４００、画像データ駆動部５００、感知走査部７００、感知信号処理部８００、共通電圧生成部９００、画像データ駆動部５００に連結された階調電圧生成部５５０、及びこれらを制御する信号制御部６００を含む。
図１乃至図３を参照すると、液晶表示板組立体３００は、複数の表示信号線Ｇ１〜Ｇｎ、Ｄ１〜Ｄｍ、複数の感知信号線Ｓ１〜ＳＮ、Ｐ１〜ＰＭ、Ｐｓｇ、Ｐｓｄ、及び複数の画素ＰＸ１、ＰＸ２を含む。画素ＰＸ１、ＰＸ２は、表示信号線Ｇ１〜Ｇｎ、Ｄ１〜Ｄｍ及び感知信号線Ｓ１〜ＳＮ、Ｐ１〜ＰＭ、Ｐｓｇ、Ｐｓｄと連結されていて、ほぼ行列状に配列されている。
【００１６】
表示信号線は、画像走査信号を伝達する複数の画像走査線Ｇ１〜Ｇｎと、画像データ信号を伝達する画像データ線Ｄ１〜Ｄｍを含む。
感知信号線は、感知走査信号を伝達する複数の感知走査線Ｓ１〜ＳＮ、感知信号を伝達する感知データ線Ｐ１〜ＰＭ、素子制御電圧を伝達する制御電圧線Ｐｓｇ、及び素子入力電圧を伝達する入力電圧線Ｐｓｄを含む。
画像走査線Ｇ１〜Ｇｎ及び感知走査線Ｓ１〜ＳＮはほぼ行方向に延在していて、互いにほぼ平行し、画像データ線Ｄ１〜Ｄｍ及び感知データ線Ｐ１〜ＰＭはほぼ列方向に延在していて、互いにほぼ平行する。
【００１７】
図２及び図３を参照すると、各画素、例えば、ｉ番目行（ｉ＝１、２、…、ｎ）、ｊ番目列（ｊ＝１、２、…、ｍ）の画素ＰＸ１、ＰＸ２は、表示信号線Ｇ１〜Ｇｎ、Ｄ１〜Ｄｍに連結された表示部ＤＣと、感知信号線Ｓｉ、Ｐｊ、Ｐｓｇ、Ｐｓｄに連結された光感知部ＳＣ１、または感知信号線Ｓｉ、Ｐｊ、Ｐｓｇに連結された圧力感知部ＳＣ２を含む。
しかし、制限された数の画素だけが感知部ＳＣ１、ＳＣ２を含むこともある。換言すれば、感知部ＳＣ１、ＳＣ２の密度を変えることができ、そのため感知走査線Ｓ１〜ＳＮの数Ｎ及び感知データ線Ｐ１〜ＰＭの数Ｍを変えることができる。また、感知走査線Ｓ１〜ＳＮの数Ｎ及び感知データ線Ｐ１〜ＰＭの数Ｍが、画像走査線Ｇ１〜Ｇｎの数ｎ及び画像データ線Ｄ１〜Ｄｍの数ｍと異なることができる。
【００１８】
例えば、液晶表示装置の解像度がＱＶＧＡ（ｑｕａｒｔｅｒ  ｖｉｄｅｏ  ｇｒａｐｈｉｃｓ  ａｒｒａｙ、２４０×３２０ドット）である場合、感知部ＳＣ１、ＳＣ２の解像度がＱＶＧＡであれば、３個の画素当り一つの感知部が配置され、感知部ＳＣ１、ＳＣ２の解像度がＱＱＶＧＡ（ｑｕａｒｔｅｒ  ＱＶＧＡ、１２０×１６０ドット）であれば、１２個の画素当り一つの感知部が配置される。ここで、１ドットは３個の画素、例えば、赤色、緑色及び青色画素が集まって一つの画像を表示する単位を意味する。
【００１９】
感知部ＳＣ１、ＳＣ２は、画素ＰＸ１、ＰＸ２と分離されていることができれば、画素ＰＸ１、ＰＸ２の間または別途に具備された領域に備えられることができる。光感知部ＳＣ１及び圧力感知部ＳＣ２は同一の感知データ線Ｐｊに連結され得るが、光感知部ＳＣ１と圧力感知部ＳＣ２は互いに異なる感知データ線に連結されることが好ましい。
表示部ＤＣは、画像走査線Ｇｉ及び画像データ線Ｄｊに連結されたスイッチング素子Ｑｓ１と、これに連結された液晶キャパシタ（ｌｉｑｕｉｄ  ｃｒｙｓｔａｌ  ｃａｐａｃｉｔｏｒ）Ｃｌｃ及びストレージキャパシタ（ｓｔｏｒａｇｅ  ｃａｐａｃｉｔｏｒ）Ｃｓｔを含む。ストレージキャパシタＣｓｔは必要に応じて省略することができる。
【００２０】
薄膜トランジスタなどスイッチング素子Ｑｓ１は三端子素子であって、その制御端子及び入力端子は各々画像走査線Ｇｉ及び画像データ線Ｄｊに連結されており、出力端子は液晶キャパシタＣｌｃ及びストレージキャパシタＣｓｔに連結されている。
液晶キャパシタＣｌｃは一対の端子とその間の液晶層（図示せず）を含み、スイッチング素子Ｑｓ１と共通電圧Ｖｃｏｍの間に連結されている。液晶キャパシタＣｌｃの二つの端子は、液晶表示板組立体３００の下部表示板１００と上部表示板２００に位置する。二つの端子のうちの一つは画素電極といい、他の一つは共通電極という。共通電極は上部表示板２００の全面に形成されていて、共通電圧Ｖｃｏｍの印加を受ける。
【００２１】
液晶キャパシタＣｌｃの補助的な役割を果たすストレージキャパシタＣｓｔは、共通電圧Ｖｃｏｍなどの決められた電圧の間に連結されている。ストレージキャパシタＣｓｔは、下部表示板１００に具備された別個の信号線（図示せず）と画素電極が絶縁体を介在して重畳して形成できる。しかし、ストレージキャパシタＣｓｔは、画素電極が絶縁体を媒介としてすぐ上の前段ゲート線と重畳して形成することもできる。
一方、色表示を実現するためには、各画素が基本色（ｐｒｉｍａｒｙ  ｃｏｌｏｒ）のうちの一つを固有に表示したり（空間分割）、各画素が時間によって交互に基本色を表示するように（時間分割）して、これら基本色の空間的、時間的合計によって所望の色が認識されるようにする。基本色の例としては、赤色、緑色及び青色がある。
【００２２】
図２に示した光感知部ＳＣ１は、制御電圧線Ｐｓｇ及び入力電圧線Ｐｓｄに連結された光感知素子Ｑｐ１、光感知素子Ｑｐ１に連結された感知信号キャパシタＣｐ、そして感知走査線Ｓｉ、感知データ線Ｐｊ及び光感知素子Ｑｐ１に連結されたスイッチング素子Ｑｓ２を含む。
光感知素子Ｑｐ１は三端子素子であって、その制御端子及び入力端子は各々制御電圧線Ｐｓｇと入力電圧線Ｐｓｄに連結されており、出力端子はスイッチング素子Ｑｓ２に連結されている。光感知素子Ｑｐ１は、光が照射されれば光電流を生成する光電物質（ｐｈｏｔｏｅｌｅｃｔｒｉｃ  ｍａｔｅｒｉａｌ）を含む。光感知素子Ｑｐ１の例としては、光電流を作りだすことができる非晶質シリコン（ａｍｏｒｐｈｏｕｓ  ｓｉｌｉｃｏｎ）または多結晶シリコン（ｐｏｌｙ  ｃｒｙｓｔａｌｌｉｎｅ  ｓｉｌｉｃｏｎ）からなるチャンネル部半導体がある薄膜トランジスタがある。
【００２３】
光電流を形成し、入力電圧線Ｐｓｄに印加された入力電圧Ｖｓｄによって光電流が感知信号キャパシタＣｐ及びスイッチング素子Ｑｓ２の方向に流れる。光感知素子Ｑｐ１の制御端子に印加される制御電圧は、光感知素子Ｑｐ１がオフ状態を維持できるように十分に低いかまたは十分に高いことが好ましい。光感知素子Ｑｐ１の入力端子に印加される入力電圧は、光電流が一定の方向に流れるように十分に低いかまたは十分に高いことが好ましい。入力電圧によって光電流はスイッチング素子Ｑｓ２の方向に流れ、感知信号キャパシタＣｐにも流れて感知信号キャパシタＣｐに保存される。
【００２４】
感知信号キャパシタＣｐは、光感知素子Ｑｐ１の制御端子と出力端子の間に連結されており、光感知素子Ｑｐ１から出た電荷を蓄積して所定電圧を維持する。感知信号キャパシタＣｐは必要に応じて省略することができる。
スイッチング素子Ｑｓ２も三端子素子であって、その制御端子、出力端子及び入力端子は各々感知走査線Ｓｉ、感知データ線Ｐｊ及び光感知素子Ｑｐ１に連結されている。スイッチング素子Ｑｓ２は、感知走査線Ｓｉからの感知走査信号によって素子出力信号を感知データ線Ｐｊに出力する。素子出力信号は光感知素子Ｑｐ１からの光電流である。しかし、素子出力信号は感知信号キャパシタＣｐに保存されている電圧でもあり得る。
【００２５】
一方、図３に示した圧力感知部ＳＣ２は、共通電圧Ｖｃｏｍ及び制御電圧線Ｐｓｇに連結されている圧力感知素子ＰＵ、そして感知走査線Ｓｉ、圧力感知素子ＰＵ及び感知データ線Ｐｊに連結されたスイッチング素子Ｑｓ３を含む。
圧力感知素子ＰＵは、共通電圧Ｖｃｏｍに連結されている圧力スイッチＳＷ、及び圧力スイッチＳＷとスイッチング素子Ｑｓ３の間に連結された駆動トランジスタＱｐ２を含む。
【００２６】
圧力スイッチＳＷは、液晶表示板組立体３００に加えられる接触に伴う圧力によって駆動トランジスタＱｐ２を共通電圧Ｖｃｏｍに連結する。例えば、圧力が加えられれば、共通電圧Ｖｃｏｍが印加される電極（図示せず）が駆動トランジスタＱｐ２の端子に近くなって互いに接触できる。しかし、スイッチＳＷは、駆動トランジスタＱｐ２を共通電圧Ｖｃｏｍに連結できる他の物理量であることもあり、この場合、圧力スイッチングＳＷは他の名前で呼ばなければならない。
駆動トランジスタＱｐ２は三端子素子であって、その制御端子及び入力端子は各々制御電圧線ＰｓｇとスイッチＳＷに連結されており、出力端子はスイッチング素子Ｑｓ３に連結されている。駆動トランジスタＱｐ２は、スイッチＳＷから伝えられた共通電圧Ｖｃｏｍによる電流を出力する。
【００２７】
スイッチング素子Ｑｓ３も三端子素子であって、その制御端子、出力端子及び入力端子は各々感知走査線ＳＩ、感知データ線ＰＪ及び駆動トランジスタＱｐ２に連結されている。スイッチング素子Ｑｓ３は、感知走査線Ｓｉからの感知走査信号によって駆動トランジスタＱｐ２からの電流を素子出力信号として感知データ線ＰＪに出力する。
ここで、スイッチング素子Ｑｓ１、Ｑｓ２、Ｑｓ３、光感知素子Ｑｐ１、及び駆動トランジスタＱＰ２は、非晶質シリコンまたは多結晶シリコンの薄膜トランジスタからなることができる。
【００２８】
圧力感知部ＳＣ２は、接触の有無を知らせることができるが、接触の圧力領域が広いため正確な接触位置を知らせることができない。反面、光感知部ＳＣ１は、接触体の影に起因した光の照度変化を感知することによって接触位置を正確に知らせることができるが、光の照度変化は接触でない他の原因によっても発生するため、接触の有無に対する信頼性のある情報を与えることができない。例えば、ある物体が液晶表示板組立体３００に近接すれば、組立体３００に接触しなくても照度が変化し得る。
感知部の解像度が低ければ感知信号を処理する時間を減らすことができるので、できるだけ感知部の解像度を低くすることが好ましい。特に、圧力感知部の解像度が光感知部の解像度より低いことができ、そうだとしても接触の有無を判断することに大きい影響を与えない。
少なくとも一つの偏光板（図示せず）が表示板組立体３００に備えられている。
【００２９】
図４に示したように、液晶表示板組立体３００は、表示領域３１を定義する遮光部材３２（ブラックマトリックスとも言う）を含み、画素ＰＸ１、ＰＸ２と信号線Ｇ１〜Ｇｎ、Ｄ１〜Ｄｍ、Ｓ１〜ＳＮ、Ｐ１〜ＰＭ、Ｐｓｇ、Ｐｓｄのほとんどは表示領域３１内に位置する。上部表示板２００は下部表示板１００より大きさが小さくて、下部表示板１００の一部領域が露出され、画像データ線Ｄ１〜Ｄｍはこの露出された領域まで延長されて画像データ駆動部５００と連結される。画像走査線Ｇ１〜Ｇｎも下部表示板１００の露出された領域まで延長されて画像走査部４００と連結され、感知走査線Ｓ１〜ＳＮもこの露出された領域に延長されて感知走査部７００と連結される。
【００３０】
再び図１を参照すれば、階調電圧生成部５５０は、画素の透過率と関わる二組の複数階調電圧を生成する。二組のうちの一組は共通電圧Ｖｃｏｍに対して正の値を有し、他の一組は負の値を有する。
共通電圧生成部９００は、共通電圧Ｖｃｏｍを生成して液晶表示板組立体３００に供給する。共通電圧Ｖｃｏｍは、極性反転のためにハイレベルとローレベルの間をスイングし、２つの区間に分れている１フレームの各区間で互いに異なる周期を有する。
【００３１】
画像走査部４００は、液晶表示板組立体３００の画像走査線Ｇ１〜Ｇｎに連結され、ゲートオン電圧とゲートオフ電圧の組み合わせからなる画像走査信号を画像走査線Ｇ１〜Ｇｎに印加する。画像走査線４００は、順次に連結された複数のステージを含むシフトレジスタであり得、信号線Ｇ１〜Ｇｎ、Ｄ１〜Ｄｍ、Ｓ１〜ＳＮ、Ｐ１〜ＰＭ、Ｐｓｇ、Ｐｓｄ、スイッチング素子Ｑｓ１、Ｑｓ２、Ｑｓ３、及び光感知素子Ｑｐ１と共に液晶表示板組立体３００に集積できる。
画像データ駆動部５００は、液晶表示板組立体３００の画像データ線Ｄ１〜Ｄｍに連結され、階調電圧生成部５５０からの階調電圧を選択して画像データ信号として画素に印加する。
【００３２】
感知走査部７００は、液晶表示板組立体３００の感知走査線Ｓ１〜ＳＮに連結され、ゲートオン電圧とゲートオフ電圧の組み合わせからなる感知走査信号を感知走査線Ｓ１〜ＳＮに印加する。
感知信号処理部８００は、液晶表示板組立体３００の感知データ線Ｐ１〜ＰＭに連結され、感知データ線Ｐ１〜ＰＭから感知データ信号を受けて増幅、フィルタリングなどの信号処理を行った後、アナログ−デジタル変換をしてデジタル感知データ信号ＤＳＮを生成する。感知データ線Ｐ１〜ＰＭが運搬する感知データ信号は電流信号であり得、この場合、感知信号処理部８００はアナログ−デジタル変換前に電流信号を電圧信号に変換する。一つの感知データ線Ｐ１〜ＰＭが運搬する一つの感知データ信号は、一つのスイッチング素子Ｑｓ２が送出する一つの素子出力信号であり得、二つ以上のスイッチング素子Ｑｓ２が送出する二つ以上の素子出力信号であることもある。
【００３３】
信号制御部６００は、画像走査部４００、画像データ駆動部５００、感知走査部７００、及び感知信号処理部８００などの動作を制御する。
画像データ駆動部５００、階調電圧生成部５５０、信号制御部６００、感知信号処理部８００は、図４に示したように、一つの集積回路チップ３３に集積できる。しかし、画像データ駆動部５００、階調電圧生成部５５０、信号制御部６００、感知信号処理部８００は個別的な複数のチップで実現することもできる。
【００３４】
次に、このような液晶表示装置の動作について、図５を図１と共に参照してさらに詳細に説明する。
図５は本発明の一実施形態による液晶表示装置における各種信号のタイミング図である。
信号制御部６００は、外部のグラフィック制御器（図示せず）から入力画像信号Ｒ、Ｇ、Ｂ及びその表示を制御する入力制御信号、例えば、垂直同期信号Ｖｓｙｎｃ、水平同期信号Ｈｓｙｎｃ、メインクロックＭＣＬＫ、及びデータイネーブル信号ＤＥなどの提供を受ける。
【００３５】
入力画像信号Ｒ、Ｇ、Ｂと入力制御信号に基づいて、信号制御部６００は画像信号Ｒ、Ｇ、Ｂを液晶表示板組立体３００の動作条件に合うように適切に処理し、画像走査制御信号ＣＯＮＴ１、画像データ制御信号ＣＯＮＴ２、感知走査制御信号ＣＯＮＴ３、及び感知データ制御信号ＣＯＮＴ４などを生成する。信号制御部６００は画像走査制御信号ＣＯＮＴ１を画像走査部４００に送出し、画像データ制御信号ＣＯＮＴ２と処理した画像信号ＤＡＴは画像データ駆動部５００に送出する。また、信号制御部６００は感知走査制御信号ＣＯＮＴ３を感知走査部７００に送出し、感知データ制御信号ＣＯＮＴ４を感知信号処理部８００に送出する。
【００３６】
画像走査制御信号ＣＯＮＴ１は、画像走査の開始を指示する画像走査開始信号ＳＴＶと、画像走査信号Ｖｇ１〜Ｖｇｎのゲートオン電圧の出力時期を制御する少なくとも一つのクロック信号などを含む。画像走査制御信号ＣＯＮＴ１は、ゲートオン電圧の持続時間を定義する出力イネーブル信号ＯＥをさらに含むことができる。
画像データ制御信号ＣＯＮＴ２は、一群の画素に対するデータ伝送を知らせる水平同期開始信号ＳＴＨと、画像データ線Ｄ１〜Ｄｍへの該当データ電圧の印加を指示するロード信号ＬＯＡＤ及びデータクロック信号ＨＣＬＫを含む。画像データ制御信号ＣＯＮＴ２は、また、共通電圧Ｖｃｏｍに対するデータ電圧の極性（以下、“共通電圧に対するデータ電圧の極性”を略して“データ電圧の極性”という）を反転させる反転信号ＲＶＳをさらに含むことができる。
感知走査制御信号ＣＯＮＴ３は、感知走査の開始を指示する感知走査開始信号ＳＴＶＳと感知走査信号Ｖｓ１〜ＶｓＮの出力時期を制御する少なくとも一つのクロック信号などを含む。
【００３７】
液晶表示装置の動作は二つの区間、つまり、表示区間ＴＤ及び感知区間ＴＳに分けて行われる。液晶表示装置は、表示区間ＴＤの間に表示動作を行い、感知区間ＴＳの間は感知動作を行う。
まず、表示区間ＴＤで、画像データ駆動部５００は信号制御部６００からの画像データ制御信号ＣＯＮＴ２によって一つの行の画素に対する画像データＤＡＴを受信し、階調電圧生成部５５０からの階調電圧のうち、各画像データＤＡＴに対応する階調電圧を選択することによって、画像データＤＡＴを該当データ電圧に変換した後、これを該当画像データ線Ｄ１〜Ｄｍに印加する。
【００３８】
画像走査部４００は、信号制御部６００からの画像走査制御信号ＣＯＮＴ１によってゲートオン電圧を画像走査線Ｇ１〜Ｇｎに印加して、この画像走査線Ｇ１〜Ｇｎに連結されたスイッチング素子Ｑｓ１をターンオンさせ、これによって画像データ線Ｄ１〜Ｄｍに印加されたデータ電圧がターンオンされたスイッチング素子Ｑｓ１を通じて該当画素に印加される。
画素に印加されたデータ電圧と共通電圧Ｖｃｏｍの差は液晶キャパシタＣｌｃの充電電圧、つまり、画素電圧として現れる。画素電圧の大きさによって液晶キャパシタＣｌｃの液晶分子の配列が変化し、このような分子配列は液晶層を通過する光の偏光を決定する。  偏光子は光の偏光を透過率に変換して所望の画像を表示する。
【００３９】
１水平周期（または“１Ｈ”）［水平同期信号Ｈｓｙｎｃ、データイネーブル信号ＤＥの一周期］を単位でこのような動作を繰り返すことによって、全ての画像走査線Ｇ１〜Ｇｎに対し順次にゲートオン電圧を印加して全ての画素にデータ電圧を印加することによって、１フレームの画像を表示する。
感知区間ＴＳで、感知走査部７００は、信号制御部６００からの感知走査制御信号ＣＯＮＴ３によってハイレベル電圧を感知走査線Ｓ１〜ＳＮに印加して、この感知走査線Ｓ１〜ＳＮに連結されたスイッチング素子Ｑｓ２、Ｑｓ３をターンオンさせる。そうすると、スイッチング素子Ｑｓ２、Ｑｓ３は素子出力信号を感知データ線Ｐ１〜ＰＭに出力して感知データ信号を生成し、感知データ信号は感知信号処理部８００に入力される。
【００４０】
感知信号処理部８００は、感知データ信号を増幅及びフィルタリングなどの信号処理を行った後、デジタル感知データ信号ＤＳＮに変換して外部装置に送出する。
このような動作を繰り返すことによって、走査線Ｓ１〜ＳＮに対し順次にハイレベル電圧を印加し、感知データ信号を読み込んでデジタル感知データ信号ＤＳＮを生成する。
外部装置は、デジタル感知データ信号ＤＳＮを適切に処理して接触の有無及び接触位置を感知し、接触情報を液晶表示装置に伝送する。
１フレームが終了すれば、次のフレームが開始し、各画素に印加されるデータ電圧の極性が前のフレームでの極性と反対になるように画像データ駆動部５００に印加される反転信号ＲＶＳの状態が制御される（フレーム反転）。この時、１フレーム内でも反転信号ＲＶＳの特性によって一つの画像データ線を通じて流れるデータ電圧の極性が変わる（例：行反転）。
【００４１】
一方、前述したように、共通電圧Ｖｃｏｍは表示区間ＴＤと感知区間ＴＳで互いに異なる周期を有する。表示区間ＴＤでは画像データ電圧の充電率など表示特性が許諾する限度で共通電圧Ｖｃｏｍの周期を短くし、感知区間ＴＳではできるだけ共通電圧Ｖｃｏｍの周期を長くする。そうすることによって、素子出力信号を読み込む時間が長くなって感知信号処理部８００が十分に大きいデジタル感知データ信号ＤＳＮを生成することができ、信号対雑音比ＳＮＲも大きくなる。
【００４２】
表示区間ＴＤで共通電圧Ｖｃｏｍのデューティ比は約５０％であるため、そのハイレベルの幅とローレベルの幅が実質的に同一である。しかし、感知区間ＴＳではその幅が互いに異なることができる。つまり、この区間ＴＳで共通電圧Ｖｃｏｍのハイレベルの幅がローレベルの幅より大きくかまたは小さくすることができる。前述したように、共通電圧Ｖｃｏｍの電圧レベルが変わる間に素子出力信号が歪曲され得るので、これを防止するためには共通電圧Ｖｃｏｍの電圧レベルが変わらない間に素子出力信号を読み込むことが好ましい。従って、共通電圧Ｖｃｏｍのローレベル区間とハイレベル区間のうち、長い区間の間に素子出力信号を読み込むことが好ましい。
【００４３】
一例として、表示部ＤＣの解像度が２４０×３２０ドットであり、感知部ＳＣ１、ＳＣ２の解像度が１２０×８０ドットであり、フレーム周波数が６０Ｈｚ（周期：１６．７ｍｓ）である場合、表示区間ＴＤと感知区間ＴＳをほぼ８ｍｓに設定すれば、表示区間ＴＤでは共通電圧Ｖｃｏｍの周期を５０μｓ（＝８ｍｓ×２／３２０）、感知区間ＴＳでは１００μｓ（＝８ｍｓ／８０）に置くことができる。感知区間ＴＳで共通電圧Ｖｃｏｍのデューティ比を２０％にし、共通電圧Ｖｃｏｍがローレベルのとき素子出力信号を読み込めば、与えられた時間は８０μｓとなる。一方、比較例として、１フレーム内で区間を分けずに感知動作と表示動作を行う従来の液晶表示装置では、共通電圧の周期は１００μｓ（＝１６ｍｓ×２／３２０）となり、感知信号を読み込める時間（５０μｓ）は感知部解像度と無関係に表示部解像度の縦解像度によって決定される。従って、本発明の一実施形態による液晶表示装置によれば、読み込むことにかかる時間が３０μｓさらに増える。
【００４４】
他の例として、表示解像度が２４０×３２０ドットであり、感知解像度が１２０×４０ドットであり、フレーム周波数が６０Ｈｚ（周期：１６．７ｍｓ）である場合、表示区間ＴＤと感知区間ＴＳをほぼ８ｍｓに設定すれば、表示区間ＴＤでは共通電圧Ｖｃｏｍの周期を５０μｓ（＝８ｍｓ×２／３２０）、感知区間ＴＳでは２００μｓ（＝８ｍｓ／４０）に置くことができる。感知区間ＴＳで共通電圧Ｖｃｏｍのデューティ比を２０％にし、共通電圧Ｖｃｏｍがローレベルのとき素子出力信号を読み込めば、素子出力信号を読み込むことに与えられた時間は１６０μｓとなる。従って、本発明の一実施形態による液晶表示装置によれば、前述した比較例に比べて信号を読み込むことに与えられた時間が１１０μｓさらに増える。
【００４５】
従って、表示解像度の縦解像度に比べて感知解像度の縦解像度が低ければ低いほど、素子出力信号を読み込むことに与えられた時間がさらに長くなる。
表示区間ＴＤと感知区間ＴＳが分離されているので、表示動作と感知動作は互いに影響を受けない。一方、感知動作はフレームごとに必ず行われる必要はなく、必要に応じて複数のフレームごとに一回ずつ行われることもできる。
【００４６】
以下、本発明の他の実施形態による液晶表示装置について詳細に説明する。本実施形態では図１乃至図５に示した液晶表示装置と比較して差が出る部分を中心に説明する。
図６は本発明の他の実施形態による液晶表示装置の部分ブロック図であり、図７は図６に示した液晶表示装置のタイミング図の一例であり、図８は図６に示した液晶表示装置のタイミング図の他の例である。
図６を参照すれば、本発明の一実施形態による液晶表示装置は、液晶表示板組立体３００、これに連結される画像走査部４００及び感知走査部７００を含む。
【００４７】
液晶表示板組立体３００は、複数の画像走査線Ｇ１〜Ｇｎ、複数の感知走査線Ｓ１〜ＳＮ、複数の表示部（図示せず）、及び複数の感知部を含む。
感知走査線Ｓ１〜ＳＮの数Ｎは、画像走査線Ｇ１〜Ｇｎの数ｎの１／４である。これは感知部解像度の縦解像度が表示部解像度の縦解像度の１／４であるということを意味する。前述した最初の例のように、表示解像度が２４０×３２０ドットであり、感知解像度が１２０×８０ドットである場合に相当する。
【００４８】
各感知走査線Ｓ１〜ＳＮは互いに連結された二つの分岐線（ｂｒａｎｃｈｌｉｎｅ）を含むことができ、感知部が二つの行に配列された２倍に増えた感知部がこの分岐線に連結できる。このように感知部の数を増やせば、感知部の特性偏差を減らすことができるだけでなく、信号対雑音比ＳＮＲも大きくなって、より正確な感知信号を抽出することができる。
画像走査部４００は、順次に連結されている複数のステージＳＴｇ１〜ＳＴｇｎを含む。各ステージＳＴｇ１〜ＳＴｇｎは画像走査線Ｇ１〜Ｇｎに連結されており、画像走査開始信号ＳＴＶ、クロック信号ＣＬＫ、ＣＬＫＢ、及びゲートオフ電圧Ｖｏｆｆに基づいて画像走査信号Ｖｇ１〜Ｖｇｎを出力する。
【００４９】
感知走査部７００は順次に連結されている複数のステージＳＴｓ１〜ＳＴｓＮを含む。各ステージＳＴｓ１〜ＳＴｓＮは感知走査線Ｓ１〜ＳＮに各々連結されており、感知走査開始信号ＳＴＶＳ、クロック信号ＣＬＳ、ＣＬＳＢ、及びゲートオフ電圧Ｖｏｆｆに基づいて感知走査信号Ｖｓ１〜ＶｓＮを出力する。
画像走査駆動部４００は、感知走査部７００が４Ｈ周期の高電圧を出力する間に１Ｈ周期の高電圧を出力する。
【００５０】
図７に示すように、共通電圧Ｖｃｏｍは、表示区間ＴＤで２Ｈの周期及び５０％のデューティ比を有し、感知区間ＴＳで４Ｈの周期及び２０％デューティ比を有する。二つのクロック信号ＣＬＫ、ＣＬＫＢは２Ｈの周期を有し、デューティ比が５０％であり、互いに１８０゜の位相差を有する。二つのクロック信号ＣＬＳ、ＣＬＳＢは８Ｈの周期を有し、デューティ比が４０％であり、互いに１８０゜の位相差を有する。
表示区間ＴＤでは、画像走査開始信号ＳＴＶがハイレベルの状態でクロック信号ＣＬＫの上昇エッジに同期して画像走査信号Ｖｇ１はゲートオン電圧になり、クロック信号ＣＬＫのパルス幅だけゲートオン電圧を維持する。画像走査信号Ｖｇ２〜Ｖｇｎは、クロック信号ＣＬＫ、ＣＬＫＢの上昇エッジに同期して１Ｈごとに順次にゲートオン電圧になる。
【００５１】
感知区間ＴＳでは、感知走査開始信号ＳＴＶＳがハイレベルの状態でクロック信号ＣＬＳの上昇エッジに同期して感知走査信号Ｖｓ１はゲートオン電圧になり、クロック信号ＣＬＳのパルス幅だけゲートオン電圧を維持する。感知走査信号Ｖｓ２〜ＶｓＮはクロック信号ＣＬＳ、ＣＬＳＢの上昇エッジに同期して４Ｈごとに順次にゲートオン電圧になる。感知走査信号Ｖｓ１〜ＶｓＮは共通電圧Ｖｃｏｍがローレベルの間に（１６Ｈ／５）ゲートオン電圧になり、この間に感知信号処理部８００は感知データ信号を読み込む。
液晶表示装置は、前述したように、フレーム反転を行う。従って、表示区間ＴＤで共通電圧Ｖｃｏｍと画像走査信号Ｖｇ１〜Ｖｇｎは奇数番目フレームと偶数番目フレームの間で１８０゜の位相差を有する。しかし、感知区間ＴＳでは反転駆動とは関係がないので、奇数番目フレームと偶数番目フレームの間で位相差はなく、共通電圧Ｖｃｏｍがローレベルのときに感知走査信号Ｖｓ１〜ＶｓＮがゲートオン電圧レベルになる。
【００５２】
一方、図８を参照すれば、表示区間ＴＤにおける各信号波形は、共通電圧Ｖｃｏｍの位相が異なることを除いては図７における信号波形と同一である。感知区間ＴＳにおける信号波形を見てみると、共通電圧Ｖｃｏｍは図７と同一に４Ｈの周期及び２０％デューティ比を有する。二つのクロック信号ＣＬＳ、ＣＬＳＢは８Ｈの周期を有し、デューティ比が５０％であり、互いに１８０゜の位相差を有する。そのため感知走査信号Ｖｓ１〜ＶｓＮは４Ｈの間にゲートオン電圧になり、隣接した感知走査信号Ｖｓ１〜ＶｓＮのゲートオン電圧間に時間の間隔が実質的になくなる。従って、このような感知走査信号Ｖｓ１〜ＶｓＮは共通電圧Ｖｃｏｍの１周期間、つまり、共通電圧Ｖｃｏｍがハイレベルとローレベルの区間にわたってゲートオン電圧が出力される。しかし、そうだとしても感知信号処理部８００が共通電圧Ｖｃｏｍがローレベルのときだけ感知データ信号を読み込めば、歪曲されない感知データ信号を抽出することができる。
【００５３】
図８に示した感知走査部７００は、図７に示した感知走査部７００に比べて少ない数の薄膜トランジスタを含むことができる。
一方、感知区間ＴＳで共通電圧Ｖｃｏｍのデューティ比は必要に応じて調整できる。また、この区間ＴＳで共通電圧Ｖｃｏｍは直流電圧ＤＣであり得る。そして、共通電圧Ｖｃｏｍのデューティ比によって共通電圧Ｖｃｏｍがハイレベルの区間で感知信号Ｖｐ、Ｖｔを読み込むこともできる。
【００５４】
本発明の実施形態では、表示装置として液晶表示装置を対象にして説明したが、本発明はこれに限定されず、平板表示装置、例えば、プラズマ表示装置（ｐｌａｓｍａ  ｄｉｓｐｌａｙ  ｄｅｖｉｃｅ）、有機発光表示装置（ｏｒｇａｎｉｃ  ｌｉｇｈｔ  ｅｍｉｔｔｉｎｇ  ｄｉｓｐｌａｙ）などのような表示装置を対象にしても同一に適用することができる。
【００５５】
尚、本発明は、上述の実施形態に限られるものではない。本発明の技術的範囲から逸脱しない範囲内で多様に変更実施することが可能である。
【図面の簡単な説明】
【００５６】
【図１】本発明の一実施形態による液晶表示装置のブロック図である。
【図２】本発明の一実施形態による液晶表示装置における光感知部を含む画素の等価回路図である。
【図３】本発明の一実施形態による液晶表示装置における圧力感知部を含む画素の等価回路図である。
【図４】本発明の一実施形態による液晶表示装置の概略図である。
【図５】本発明の一実施形態による液晶表示装置における各種信号のタイミング図である。
【図６】本発明の他の実施形態による液晶表示装置の部分ブロック図である。
【図７】図６に示した液晶表示装置のタイミング図の一例である。
【図８】図６に示した液晶表示装置のタイミング図の他の例である。
【符号の説明】
【００５７】
３１      表示領域
３２      遮光部材
３３      集積回路チップ
１００、２００    表示板
３００    液晶表示板組立体
４００    画像走査部
５００    画像データ駆動部
５５０    階調電圧生成部
６００    信号制御部
７００    感知走査部
８００    感知信号処理部
９００    共通電圧生成部
Ｃｌｃ    液晶キャパシタ
Ｃｓｔ    ストレージキャパシタ
Ｃｐ    感知信号キャパシタ
Ｄ１〜Ｄｍ    画像データ線
Ｇ１〜Ｇｎ    画像走査線
Ｐ１〜ＰＭ    感知データ線
Ｐｓｄ    入力電圧線
Ｐｓｇ    制御電圧線
ＰＵ    圧力感知素子
ＰＸ１、ＰＸ２    画素
Ｑｓ１、Ｑｓ２、Ｑｓ３    スイッチング素子
Ｑｐ１    光感知素子
Ｑｐ２    駆動トランジスタ
ＳＣ１    光感知部
ＳＣ２    圧力感知部
Ｓ１〜ＳＮ    感知走査線
ＳＴｇ１〜ＳＴｇｎ、ＳＴｓ１〜ＳＴｓＮ    ステージＳＷ、スイッチ
ＣＬＫ、ＣＬＫＢ、ＣＬＳ、ＣＬＳＢ    クロック信号
ＣＯＮＴ１、ＣＯＮＴ２、ＣＯＮＴ３、ＣＯＮＴ４    制御信号
ＤＡＴ    出力画像信号
ＤＥ    データイネーブル信号
ＤＳＮ    デジタル感知データ信号
Ｈｓｙｎｃ    水平同期信号
Ｒ、Ｇ、Ｂ    入力画像信号
ＳＴＶ    画像走査開始信号
ＳＴＶＳ    感知走査開始信号
ＴＤ    表示区間
ＴＳ    感知区間
Ｖｃｏｍ    共通電圧
Ｖｏｆｆ    ゲートオフ電圧
Ｖｓｙｎｃ    垂直同期信号
Ｖｇ１〜Ｖｇｎ  画像走査信号
Ｖｓ１〜ＶｓＮ  感知走査信号
【図１】
2006293374.tif 000003
【図２】
2006293374.tif 000004
【図３】
2006293374.tif 000005
【図４】
2006293374.tif 000006
【図５】
2006293374.tif 000007
【図６】
2006293374.tif 000008
【図７】
2006293374.tif 000009
【図８】
2006293374.tif 000010